(57)【要約】【課題】  扇ぎ葉の下部に保持具を取り付けた状態のまま扇ぎ葉を畳んだり広げたりできる紙扇子の折畳み構造を提供する。【解決手段】  扇ぎ葉を設け、該扇ぎ葉は天地に縦断する四本の畳み折線を介して横方向へ五つの室に区分されており、該扇ぎ葉の中央の室を軸室とし、該軸室の両横へ反転折線を介して反転室を延設し、各々の該反転室の横外縁へ移動折線を介して摘み室を延設し、該軸室に該扇ぎ葉の折畳み状態を固定できる箇所として保持具を設け、該保持具と該軸室との隙間へ折畳まれた扇ぎ葉の下部領域が挟まれて固定される構造にして設ける。【選択図】  図１
2015112324.tif 000002
【特許請求の範囲】
【請求項１】
扇ぎ葉を設け、該扇ぎ葉は天地に縦断する四本の畳み折線を介して横方向へ五つの室に区分されており、該扇ぎ葉の中央の室を軸室とし、該軸室の両横へ反転折線を介して反転室は延設され、各々の該反転室の横外縁へ移動折線を介して摘み室は延設され、該軸室に該扇ぎ葉の折畳み状態を固定できる箇所を設けたことを特徴とする紙扇子の折畳み構造。
【請求項２】
扇ぎ葉の折畳み状態を固定できる箇所として保持具を設け、該保持具は少なくても前板と背板によって形成されており、該保持具で軸室の前後を挟み込み、前記の挟み込みによって形成される該軸室と該保持具との隙間へ折畳まれた扇ぎ葉の下部領域が挟み込まれて固定される構造にしたことを特徴とする請求項１記載の紙扇子の折畳み構造。
【請求項３】
扇ぎ葉の軸室の下部に軸穴を設け、該軸穴へ保持具からヒンジ線を介して延設された挿入片を挿入して該保持具を該扇ぎ葉の下部に固定したことを特徴とする請求項１及び請求項２記載の紙扇子折畳み構造。
【発明の詳細な説明】
【技術分野】
【０００１】
本発明は、厚紙製の紙扇子に関する物である。
【背景技術】
【０００２】
従来の紙扇子は、扇ぎ葉と巻柄は別個で設けられており、使用する場合は、扇ぎ葉下部中央の要溝に巻柄の要片を差し込んで両者を連結して巻柄を三つ折で巻いて扇ぎ葉の下部を支える構造であり、小さく収納する場合は、巻柄を開いて要片を外して両者を分離し、三つ折で巻いた扇ぎ葉へ三つ折で巻いた柄を入れる構造の物であった。
【先行技術文献】
【特許文献】
【０００３】
【特許文献１】特開平１１−３１８５３１号
【発明の概要】
【発明が解決しようとする課題】
【０００４】
従来の技術は、扇ぎ葉と巻柄が別々であることから、要片を抜き差しして両者を離したり連結したりする必要があり、該要片の抜き差しは、三つ折で巻かれた巻柄を開く必要があり、畳んで収納したり開いて使用したりする二形態の移行に手間が掛るという問題点があった。本発明では前記のような問題の解決を課題にする。
【課題を解決するための手段】
【０００５】
天地方向へ縦断する四本の畳み折線を介して横方向へ五室に区分されて折り畳める構造にした扇ぎ葉を設け、該扇ぎ葉の中央室を軸室とし、該軸室の横両側へ反転折線を介して反転室を延設し、該反転室は天方向へ広がる細い扇形状を成し、各々の該反転室の横外側へ移動折線を介して摘み室を延設する。該軸室の底辺を軸底辺とし、該軸室の下部領域に軸穴を開ける。該扇ぎ葉の下部領域を前後から挟み込んで固定する箇所として保持具を設けるのであり、該保持具は水平な保持底線を介して連設されている前板と背板から成り、該保持底線を袋折して該扇ぎ葉の下部領域の前後を挟んだ状態で該保持具から折り出される挿入片が該軸穴に挿入されて該扇ぎ葉と該保持具の双方は固定される。
【発明の効果】
【０００６】
反転折線の屈折で反転室が反転して裏返ることで移動折線は軸室方向へ引き寄せられて該軸室に重なるが、該反転室は天広がりの細い扇形状であることから軸室の下部領域には摘み室が重ならない未重域が残り、前記未重域に軸穴が位置しており、該軸穴に保持具から折り出された挿入片を挿入して保持具を扇ぎ葉の下部に固定しているので、該保持具を付けた状態のまま、扇ぎ葉を折り畳んだり、広げたりすることができるので、保持具の着脱は不要になる。
【図面の簡単な説明】
【０００７】
【図１】展開正面図である。（実施例１）
【図２】扇ぎ葉の他方の摘み室折畳み状態要部透視正面図である。
【図３】保持具取付過程要部透視正面図である。
【図４】保持具取付状態要部透視正面図である。
【図５】保持具取付折畳み状態要部透視正面図である。
【図６】鞘具組立過程開き状態要部透視正面図である。（実施例２）
【発明を実施するための形態】
【０００８】
軸室の軸穴に保持具の挿入片を挿入して保持具を固定したことで、保持具を固定したまま扇ぎ葉を折り畳んだり拡げたりの開閉ができることを実現した。
【実施例１】
【０００９】
図１は展開正面図である。本発明を製造するための素材はプラスチックなどの人工樹脂であっても良いが、適宜な厚みと硬さを備え持つ厚紙であることが望ましく、前記厚紙の厚みと硬さは限定ではなく、扇ぎ葉の大きさによって変更すれば良く、少なくても官製葉書以上の厚みと硬さがあれば対応できる。実線は切断線などの縁線であり、折線は一点鎖線で表示し、透視線は破線で表示する。折線の折り曲げ方向は使用者が自由に変更できるのであるが、特許内容を具体的に説明する目的で折り曲げ方向を限定して表示することにし、谷折と山折で表示する折り曲げ方向は正面からを基準にして表示し、左右方向を横とし、天地方向を縦とし、正面背面方向を前後として表示する。
【００１０】
本体１は扇ぎ葉２と保持具３とで構成され、該扇ぎ葉２の下部領域の前後を該保持具３で挟んだ状態で固定する。該扇ぎ葉２は天地方向へ縦断する四本の畳み折線１４によって横方向へ五箇所の室に区分されており、前記室の中央を軸室４とし、該軸室４の両横辺に反転折線５を介して反転室６を延設する。該反転折線５の左側を一方の反転折線５ａとして山折にし、該反転折線５の右側を他方の反転折線５ｂとして谷折にすることが望ましく、前記の山谷の折り曲げ方向は使用者が任意に変更可能なので、逆であっても良いが、双方の折り曲げ方向は互いに反対にして設ける。
【００１１】
前記反転折線５のように、同じ符号の箇所が二箇所で有する場合は符号の右隣に一方を示すａと他方を示すｂを付けることにし、図面では（ａ）（ｂ）のように括弧で閉じることにし、一方と他方の区別が無い場合はａとｂを省くことで双方を総称して指すことにする。
【００１２】
軸室４の一方の反転折線５ａを山折にして延設された一方の反転室６ａの左辺である一方の移動折線７ａを谷折で介して一方の摘み室８ａを延設する。該軸室４の他方の反転折線５ｂを谷折にして延設された他方の反転室６ｂの右辺である他方の移動折線７ｂを山折で介して他方の摘み室８ｂを延設する。
【００１３】
上記扇ぎ葉２の形状は限定ではなく、自由にデザイン化された形状であっても良いし、円形であっても良いが、具体的に述べるために扇形状にし、扇形状にした場合の天縁９は略（ほぼ）円周形状になり、脇縁１０は略直線の二本の放射形状になり、個別の符号では一方の脇縁１０ａと他方の脇縁１０ｂとし、該天縁９と該脇縁１０とが接する角は角張っていても良いが適宜に丸くなっているのが望ましく、該扇ぎ葉２の底辺は軸室４の底辺と同一線にして軸底辺１１にする。
【００１４】
軸室４の形状は限定ではなく、縦長の細い略矩形や台形であっても良いが、軸底辺１１を底辺とする縦に細長い二等辺三角形であることが望ましい。該軸底辺１１の両端の各々で左端を一方の支点１２ａとし右端を他方の支点１２ｂとする。該一方の支点１２ａを起点として略真上に広がる細い扇形状の室を一方の反転室６ａとし、該他方の支点１２ｂを起点として略真上に広がる細い扇形状の室を他方の反転室６ｂとする。
【００１５】
反転室６の横外辺には移動折線７を介して摘み室８が延設されており、該摘み室８も支点１２を起点とする略扇形状であることが望ましく、扇形状を成した該摘み室８の最大幅は限定ではないが、隣接の反転室の最大幅の略二倍であることがデザイン的に美しくなることから望ましい対比になる。
【００１６】
縦に細長い二等辺三角形を成した軸室４の下部領域に軸穴１３を開け、該軸穴１３の大きさや形は限定ではないが、成人の親指を難無く挿入できる大きさのトンネル形状の穴にすることが望ましく、該軸穴１３がトンネル形状であるならば底辺の直線領域を穴底辺２３とし、該穴底辺２３の位置は限定ではないが、軸穴１３を円形にした状態の下から四分の一の箇所での水平線を穴底辺２３にすることが望ましい。該軸穴１３は軸室４の範囲内に収まっていることが望ましいが、扇ぎ葉２の下部に位置しているのならば限定ではなく、反転折線５の下部を横切り分断して反転室６まで食み出しても良く、更に大きくして摘み室８まで食み出しても機能的には問題ないが、扇ぎ使用の場合で強度的に弱くなる危険性が増える問題が生じる。
【００１７】
反転折線５と移動折線７の総称を畳み折線１４とし、該畳み折線１４の無い扇ぎ葉２であるならば保持部３が無くても問題なく扇ぐことはできるが、該畳み折線１４を有する本発明の該扇ぎ葉２の下部領域を補強しなければ該畳み折線１４の箇所で折れ曲がって扇ぎ難くなる他、該扇ぎ葉２の折畳み状態も保持できなくなる。前記の理由により、該扇ぎ葉２の下部に該保持具３を取り付ける必要が生じる。
【００１８】
保持具３は中央を水平に横切る保持底線１５を介する天側に前板１６を連設して地側に背板１７を連設した構造を基本とし、自由にデザイン化された形状であっても良いが該保持底線１５を中心とする線対称で二つ折りにする形状が望ましく、前記二つ折り形状は天地を水平にした円形である形状が望ましい。該保持具３の取り付けは、該保持底線１５を扇ぎ葉２底辺の軸底辺１１の下に沿わせて山折で折返し、正面に該前板１６を重ね背面に該背板１７を重ねて該扇ぎ葉２の下部領域の前後両面を挟み込んで行う。
【００１９】
保持具３は分離した別具で設けても良いが、扇ぎ葉２の下辺へ連ねて設ける構造が望ましく、前記の連設構造を具体的に述べるならば、扇ぎ葉２の下辺である軸底辺１１を谷折線にして芯板１８を延設し、下方に延設された芯板１８の先縁へ水平な芯板線１９を山折線にして該保持具３を延設する。
【００２０】
芯板１８の形状は限定ではないが、重なり合う保持具３から食み出さない形状や大きさであれば良く、二つ折りにされた保持具３と同じ形状であることが望ましい。
【００２１】
扇ぎ葉２下辺の軸底辺１１を谷折することで芯板１８は上へ折り返されて保持具３を持ち上げる役目を果たして前板１６が該扇ぎ葉２の下部領域の正面に重なり、保持底線１５を山折することで背板１７は該扇ぎ葉２の下部領域の背面に重なるので、該扇ぎ葉２の前後両面を該保持具３で挟み込んだ状態になる。
【００２２】
上記の扇ぎ葉２の前後両面を保持具３で挟み込んだ状態で、軸穴１３と同形状の穴を打ち抜くのであり、前記の打ち抜きによって貫通する穴を総称して指穴２７とし、前記の打ち抜きで形成された指穴２７を個別に述べるならば、芯板１８に芯穴２０、前板１６に前穴２１、背板１７に背穴２２が開けられており、背穴２２だけは穴底辺２３と重なり合う線領域をヒンジ線２４として残し、該ヒンジ線２４を介して挿入片２５を延設し、該ヒンジ線２４を山折線にして設ける。
【００２３】
図２は扇ぎ葉の他方の摘み室折畳み状態要部透視正面図である。本体１は保持具３を扇ぎ葉２の下部に重ねて取り付けた状態で該扇ぎ葉２を折り畳んで固定する構造であるが、解り易く説明するために該保持具３を重ねないで図示することにする。
【００２４】
他方の反転室６ｂの下端は他方の支点１２ｂを起点とする細長い扇形状を成しており、最上部が一番広くなっており、この一番広い幅の箇所を最大幅とする。
【００２５】
他方の反転折線５ｂを谷折することで他方の反転室６ｂは反転して他方の移動折線７ｂは下端の他方の支点１２ｂを中心にした円周形状で移動するのであり、該他方の移動折線７ｂの上端の移動距離は該反転室６ｂの最大幅の二倍と略同寸であり、該他方の移動折線７ｂを山折することで他方の摘み室８ｂの前面は正面を向くのであり、該他方の摘み室８ｂが正面へ折り返されたことで軸穴１３の穴底辺２３領域への重なりを避けることができる。
【００２６】
一方の反転室６ａと一方の摘み室８ａの折畳み状態は図示していないが文章で述べるならば、一方の反転折線５ａを山折することで一方の反転室６ａは反転して一方の移動折線７ａは下端の一方の支点１２ａを中心にした円周形状で移動するのであり、該一方の移動折線７ａの上端の移動距離は該反転室６ａの最大幅の二倍と略同寸であり、該一方の移動折線７ａを山折することで一方の摘み室８ａの前面は正面を向くのであり、該一方の摘み室８ａが正面へ折り返されたことで軸穴１３の穴底辺２３領域への重なりを避けることができる。
【００２７】
上記穴底辺２３への重なりが避けられていることで、該穴底辺２３は図５で示される未重穴２９の底辺となり、背板１７の背穴２２の領域内にヒンジ線２４を介して延設された挿入片２５を軸穴１３へ挿入して保持具３を固定した状態のまま扇ぎ葉２を折り畳んだり広げたりすることが可能になる。
【００２８】
図３は保持具取付過程要部透視正面図である。軸底辺１１上の折線を谷折することで図２で示した芯板１８が上へ折り返されて保持具３を持ち上げる働きを成し、該保持具３が持ち上げられて芯板線１９を山折することで扇ぎ葉２の下部領域の正面へ前板１６が重なり、該芯板１８の軸穴１３に芯穴２０と前穴２１とが重なる。
【００２９】
軸穴１３と重なり合った穴領域を指穴２７とし、該指穴２７と重なり合う背穴２２にヒンジ線２４を介して挿入片２５を延設し、該挿入片２５は該指穴２７の重なり状態を束ねて固定するための箇所であり、該指穴２７を束ねた状態の該挿入片２５の先領域は前板１６の下部領域へ略水平に切り込まれた切溝２６へ差し込まれて固定されるのであり、前記の差込を容易に行うために挿入片２５の略中央を略水平に横切る山折線で補助折線２８を入れるのが望ましい。
【００３０】
保持具３は別個に分離した状態で設けても良いが、連設された芯板１８を介して保持具３を持ち上げる構造にしたことで該保持具３の位置決めが容易で確実になり、軸底辺１１に沿った状態で保持底線１５を山折することで背板１７が背面へ折り返されて、扇ぎ葉２下部領域の前後両面は保持具３によって挟まれる。
【００３１】
図４は保持具取付状態要部透視正面図である。扇ぎ葉２の下部領域の正面へ前板１６が重なった状態で保持底線１５を山折することで図３で示した背板１７は背面へ折り返されて、扇ぎ葉２下部領域の前後両面は保持具３によって挟まれ、前記保持具３の挟み状態を固定するために、ヒンジ線２４を山折して穴底辺２３を跨いで挿入片２５を前穴２１へ挿入することで指穴２７は束ねられた状態になり、該挿入片２５の先領域を前板１６の下部へ水平に切り込んだ切溝２６へ差し込むことで前記指穴２７の束ね状態が固定され、該指穴２７は該保持具３の固定箇所である他に指の挿入穴としても併用しており、該指穴２７に指を挿入することで本体１は持ち易くて握り易くなるので、扇ぎ易くなる。
【００３２】
図５は保持具取付折畳み状態要部透視正面図である。保持具３を固定している挿入片２５は扇ぎ葉２の面を前後に貫いており、該扇ぎ葉２を折り畳んだ状態では指穴２７の部分的領域を斜めに移動折線７が両側から食み出しているがヒンジ線２４の両端で留まっているので該ヒンジ線２４の跨ぎ領域と重なっておらず、該ヒンジ線２４を底辺とする二等辺三角形で開口している穴領域は何も重なっていないから貫通穴として存在するのであり、前記の二等辺三角形の穴領域を未重穴２９とする。
【００３３】
上記の説明文で明らかにされるように、扇ぎ葉２は保持具３を取り付けた状態のまま該扇ぎ葉２を畳んだり広げたりの開閉ができるので、従来の背景技術のように扇ぎ葉と巻柄を開閉のたびに分離する必要がなくなる。
【００３４】
保持具３は扇ぎ葉２の下部領域の前後両面を挟んで固定しているので、扇ぎ使用時での補強の役割を果たす他、該扇ぎ葉２を畳んだ状態では折り返されて袋折にされたヒンジ線２４の両端に折り返された移動折線７が寄り添っているので保持具３での挟み込み固定が強くなり、確実に固定される。
【００３５】
扇ぎ葉２が折畳まれた状態での指穴２７の貫通穴形状は、底辺をヒンジ線２４とした二等辺三角形状の未重穴２９であり、該未重穴２９へフックなどを引っ掛けて吊るして陳列することができる。
【実施例２】
【００３６】
図６は鞘具組立過程要部透視開き状態正面図である。実施例１では扇ぎ葉２の軸室４に指穴２７を設けて、該指穴２７を利用して保持具３を固定していたが、実施例２では該指穴２７を設けず、該保持具３と同じ用途目的で鞘具３３を設け、該鞘具３３を扇ぎ葉３２の下部を取り巻いて固定して実施例２の本体３１を形成する。
【００３７】
図６での山折谷折の折り曲げ方向は展開図を基準にするのではなく、図示された組立過程を基準にして述べる。上記鞘具３３の取り付けは、扇ぎ葉３２の中央に位置する軸室３４の下部を下へ引き伸ばし、前記の引き伸ばされた領域を軸板４８とし、該軸板４８の下辺の軸板線４１を山折にして延設される前板４６の一方の横辺に山折線を介して一方の背板４７ａを延設し、該一方の背板４７ａの外横辺に山折線を介して鞘片５９を延設し、該前板４６の他方の横辺に山折線を介して他方の背板４７ｂを延設し、該他方の背板４７ｂの中央を天地方向へ切り込んで鞘溝６０を設け、該鞘溝６０に該鞘片５９を差し込んで、該他方の背板４７ｂと重なり合う該一方の背板４７ａを固定し、前記他方の背板４７ｂと一方の背板４７ａとの固定によって、該扇ぎ葉３２の下部を取り巻いた状態で該鞘具３３を固定する。
【産業上の利用可能性】
【００３８】
本発明は、折畳み機能の無いうちわとして使用することもできる。
【符号の説明】
【００３９】
１  本体
２  扇ぎ葉
３  保持具
４    軸室
５、５ａ、５ｂ  反転折線
６、６ａ、６ｂ  反転室
７、７ａ、７ｂ  移動折線
８、８ａ、８ｂ  摘み室
１１  軸底辺
１２、１２ａ、１２ｂ  支点
１３  軸穴
１４  畳線
１５  保持底線
１６  前板
１７  背板
２３  穴底辺
２４  ヒンジ線
２５  挿入片
２６  切溝
２７  指穴
【図１】
2015112324.tif 000003
【図２】
2015112324.tif 000004
【図３】
2015112324.tif 000005
【図４】
2015112324.tif 000006
【図５】
2015112324.tif 000007
【図６】
2015112324.tif 000008
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
扇ぎ葉を設け、該扇ぎ葉は天地に縦断する四本の畳み折線を介して横方向へ五つの室に区分されており、該扇ぎ葉の中央の室を軸室とし、軸室の軸底辺の両端の各々を支点とし、該支点を起点として広がる細い扇形状の室を反転室とし、該軸室の両横へ反転折線を介して反転室は延設され、各々の該反転室の横外縁へ移動折線を介して摘み室は延設され、該軸室に該扇ぎ葉の折畳み状態を固定できる箇所を設けたことを特徴とする紙扇子の折畳み構造。